(57)【要約】【課題】  広告主から要求があったときに広告情報を表示することができる情報表示装置および情報表示方法を提供する。【解決手段】  リモコン中央処理装置２３は、広告表示を要求する要求ボタンが操作され、接続した広告表示ディスプレイ３０の状態が広告データを表示している状態でないとき、広告表示ディスプレイ３０から表示係数を受信する。そして、広告主によって、カード４０に記憶される広告データの中から認証済みの広告データが選択されると、選択された広告データの広告係数、および受信した表示係数に基づいて、接続した広告表示ディスプレイ３０に選択された広告データを表示するために必要な広告料金を算出する。算出した広告料金が残金額記憶部２６に記憶される残金額以下であると、算出した広告料金を残金額から減算した値を新たな残金額とし、選択された広告データを広告表示ディスプレイ３０に送り、表示させる。【選択図】      図１
2010286678.tif 000002
【特許請求の範囲】
【請求項１】
広告を表す広告情報を記憶する記憶手段、無線通信によって情報を送信する送信手段、広告情報の送信を要求する要求手段、および前記要求手段によって広告情報の送信が要求されると、前記記憶手段に記憶される広告情報を読み出し、読み出した広告情報を前記送信手段によって送信するように制御する送信制御手段を含む端末部と、
情報を表示する表示手段、無線通信によって広告情報を受信する受信手段、および前記送信手段によって送信された広告情報を前記受信手段が受信すると、前記受信手段によって受信された広告情報を前記表示手段によって表示するように制御する表示制御手段を含む表示部とを含むことを特徴とする情報表示装置。
【請求項２】
前記記憶手段は、広告情報を前記表示手段に表示する表示部利用可能度数を記憶し、
前記送信制御手段は、前記記憶手段に記憶される表示部利用可能度数が、前記記憶手段に記憶される広告情報を前記表示手段に表示するために必要な表示必要度数以上であるとき、前記記憶手段に記憶される広告情報を前記送信手段によって送信するように制御するとともに、広告情報を送信するごとに前記記憶手段に記憶される表示部利用可能度数から前記表示必要度数を減算し、前記記憶手段に記憶される表示部利用可能度数が前記表示必要度数未満であるとき、広告情報を送信しないように制御することを特徴とする請求項１に記載の情報表示装置。
【請求項３】
前記表示必要度数は、広告情報が表示される継続時間に基づいて算出される広告係数、および表示部ごとの表示効果の度合いを表す表示係数に基づいて算出されることを特徴とする請求項２に記載の情報表示装置。
【請求項４】
前記表示手段に表示させようとする広告情報が予め定める表示条件を満たすか否かを判定する判定部をさらに含み、
前記記憶手段は、判定部によって判定された広告情報に関連付けて、その広告情報が予め定める表示条件を満たすことを表す条件合致情報を記憶し、
前記送信制御手段は、条件合致情報に関連付けられていない広告情報については、前記要求手段によって広告情報の送信が要求されても、送信しないように制御することを特徴とする請求項１〜３のいずれか１つに記載の情報表示装置。
【請求項５】
広告を表す広告情報を記憶する記憶手段、無線通信によって情報を送信する送信手段、および広告情報の送信を要求する要求手段を含む端末部と、
情報を表示する表示手段、および無線通信によって広告情報を受信する受信手段を含む表示部とを含む情報表示装置に広告情報を表示する情報表示方法であって、
前記要求手段によって広告情報の送信が要求されると、前記記憶手段に記憶される広告情報を読み出し、読み出した広告情報を前記送信手段によって送信するように制御する送信制御ステップと、
前記送信制御ステップで送信された広告情報を前記受信手段によって受信すると、前記受信手段によって受信された広告情報を前記表示手段によって表示するように制御する表示制御ステップとを含むことを特徴とする情報表示方法。
【発明の詳細な説明】
【技術分野】
【０００１】
本発明は、広告などの情報を表示する情報表示装置および情報表示方法に関する。
【背景技術】
【０００２】
図１３は、従来の技術による広告システム９の構成を示すブロック図である。情報表示装置の一例である広告システム９は、インフォメーションディスプレイ９１およびサーバ９２を含んで構成される。インフォメーションディスプレイ９１は、顧客が利用する屋外あるいは屋内に設置され、広告などの情報を表示するための大型のディスプレイである。サーバ９２は、広告代理店などに設置され、予め契約した広告主ごとに、広告と、広告の表示を開始する時刻および終了する時刻とを関連付けて記憶している。
【０００３】
サーバ９２は、表示を開始する時刻になると、その時刻に関連付けられた広告をインフォメーションディスプレイ９１に送信して表示する。たとえば、時刻「９：００」に、「Ａ社広告」をインフォメーションディスプレイ９１に送信して表示し、時刻「１０：００」に、「Ｂ社広告」をインフォメーションディスプレイ９１に送信して表示し、時刻「１１：００」に、「Ｃ社広告」をインフォメーションディスプレイ９１に送信して表示し、時刻「１２：００」に「Ｃ社広告」の表示を終了する。
【０００４】
特許文献１に記載されるＰＯＳシステムは、従来の技術による情報表示装置の他の例である。このＰＯＳシステムは、ＰＯＳ端末および電子掲示板システムからなり、ＰＯＳ端末が、電子掲示板システムで使用する画像情報の使用料金を管理する。ＰＯＳ端末は、画像情報の表示サイズ、種類、使用するエリア、使用する時間、および使用する時間帯などの使用条件に基づいて使用料金を算出する。ＰＯＳ端末で料金の精算が終了すると、ＰＯＳ端末に入力された画像情報は、電子掲示板システムに転送される。電子掲示板システムは、使用条件に応じて画像情報を表示する。
【０００５】
特許文献２に記載されるインターネット上の電子掲示板の広告スペースを販売するシステムは、従来の技術による情報表示装置のさらに他の例である。このシステムは、屋外および屋内の種々の地理的領域に配置され、ウェブアドレスが関連付けられている電子掲示板と、掲示板ウェブサイトを実施するサーバと、いずれかの電子掲示板を選択し、広告のような情報を表示する操作を行うためのクライアントとを含んで構成される。クライアントは、情報を表示する利用可能な時間および継続時間を選択し、クレジットカードなどを用いて広告時間を購入し、表示する情報をサーバにアップロードすることによって、選択した掲示板に、かつ選択した時間および継続時間で情報を表示する。
【先行技術文献】
【特許文献】
【０００６】
【特許文献１】特開平９−３４９５４号公報
【特許文献２】特表２００２−５４３５０１号公報
【発明の概要】
【発明が解決しようとする課題】
【０００７】
しかしながら、これらの従来の技術は、広告などの情報を予め設定されている条件で表示するものであり、広告などの情報を広告主から要求があったときに表示することはできないという問題がある。
【０００８】
本発明の目的は、広告主から要求があったときに広告情報を表示することができる情報表示装置および情報表示方法を提供することである。
【課題を解決するための手段】
【０００９】
本発明は、広告を表す広告情報を記憶する記憶手段、無線通信によって情報を送信する送信手段、広告情報の送信を要求する要求手段、および前記要求手段によって広告情報の送信が要求されると、前記記憶手段に記憶される広告情報を読み出し、読み出した広告情報を前記送信手段によって送信するように制御する送信制御手段を含む端末部と、
情報を表示する表示手段、無線通信によって広告情報を受信する受信手段、および前記送信手段によって送信された広告情報を前記受信手段が受信すると、前記受信手段によって受信された広告情報を前記表示手段によって表示するように制御する表示制御手段を含む表示部とを含むことを特徴とする情報表示装置である。
【００１０】
また本発明は、前記記憶手段は、広告情報を前記表示手段に表示する表示部利用可能度数を記憶し、
前記送信制御手段は、前記記憶手段に記憶される表示部利用可能度数が、前記記憶手段に記憶される広告情報を前記表示手段に表示するために必要な表示必要度数以上であるとき、前記記憶手段に記憶される広告情報を前記送信手段によって送信するように制御するとともに、広告情報を送信するごとに前記記憶手段に記憶される表示部利用可能度数から前記表示必要度数を減算し、前記記憶手段に記憶される表示部利用可能度数が前記表示必要度数未満であるとき、広告情報を送信しないように制御することを特徴とする。
【００１１】
また本発明は、前記表示必要度数は、広告情報が表示される継続時間に基づいて算出される広告係数、および表示部ごとの表示効果の度合いを表す表示係数に基づいて算出されることを特徴とする。
【００１２】
また本発明は、前記表示手段に表示させようとする広告情報が予め定める表示条件を満たすか否かを判定する判定部をさらに含み、
前記記憶手段は、判定部によって判定された広告情報に関連付けて、その広告情報が予め定める表示条件を満たすことを表す条件合致情報を記憶し、
前記送信制御手段は、条件合致情報に関連付けられていない広告情報については、前記要求手段によって広告情報の送信が要求されても、送信しないように制御することを特徴とする。
【００１３】
また本発明は、広告を表す広告情報を記憶する記憶手段、無線通信によって情報を送信する送信手段、および広告情報の送信を要求する要求手段を含む端末部と、
情報を表示する表示手段、および無線通信によって広告情報を受信する受信手段を含む表示部とを含む情報表示装置に広告情報を表示する情報表示方法であって、
前記要求手段によって広告情報の送信が要求されると、前記記憶手段に記憶される広告情報を読み出し、読み出した広告情報を前記送信手段によって送信するように制御する送信制御ステップと、
前記送信制御ステップで送信された広告情報を前記受信手段によって受信すると、前記受信手段によって受信された広告情報を前記表示手段によって表示するように制御する表示制御ステップとを含むことを特徴とする情報表示方法である。
【発明の効果】
【００１４】
本発明によれば、端末部は、記憶手段、送信手段、要求手段および送信制御手段を含む。記憶手段によって、広告を表す広告情報が記憶される。送信手段によって、無線通信によって情報が送信される。要求手段によって、広告情報の送信が要求される。そして、送信制御手段によって、要求手段によって広告情報の送信が要求されると、記憶手段に記憶される広告情報が読み出され、読み出された広告情報が送信手段によって送信されるように制御される。また、表示部は、表示手段、受信手段および表示制御手段を含む。表示手段によって、情報が表示される。受信手段によって、無線通信によって広告情報が受信される。そして、表示制御手段によって、送信手段によって送信された広告情報を受信手段が受信すると、受信手段によって受信された広告情報を表示手段によって表示するように制御される。
【００１５】
したがって、端末部の要求手段によって広告情報の送信が要求されたときに、つまり広告主から要求があったときに、広告情報を表示することができる。すなわち、広告主は、顧客の混雑度、天候、時間帯および在庫などの状況を判断して、タイムリーに広告を表示することができる。
【００１６】
また本発明によれば、前記記憶手段によって、広告情報を前記表示手段に表示する表示部利用可能度数が記憶される。前記送信制御手段によって、前記記憶手段に記憶される表示部利用可能度数が、前記記憶手段に記憶される広告情報を前記表示手段に表示するために必要な表示必要度数以上であるとき、前記記憶手段に記憶される広告情報を前記送信手段によって送信するように制御されるとともに、広告情報を送信するごとに前記記憶手段に記憶される表示部利用可能度数から前記表示必要度数が減算される。また、前記送信制御手段によって、前記記憶手段に記憶される表示部利用可能度数が前記表示必要度数未満であるとき、広告情報を送信しないように制御される。したがって、広告主は、すでに支払わった広告料金に応じて決められる表示部利用可能度数、たとえば残金額が、広告情報を表示部に表示するために必要な表示必要度数、たとえば必要広告料金以上である限り、広告情報をいつでも表示することができる。また、残金額が必要広告料金未満になったときは、広告の表示を禁止することができる。
【００１７】
また本発明によれば、前記表示必要度数は、広告情報が表示される継続時間に基づいて算出される広告係数、および表示部ごとの表示効果の度合いを表す表示係数に基づいて算出されるので、短い広告時間あるいは広告効果の低い表示部のとき、高額な料金を支払う必要がなく、広告主は、広告の必要度および予算に応じた広告を行うことができる。
【００１８】
また本発明によれば、判定部によって、前記表示手段に表示させようとする広告情報が予め定める表示条件を満たすか否かが判定される。前記記憶手段によって、判定部によって判定された広告情報に関連付けて、その広告情報が予め定める表示条件を満たすことを表す条件合致情報が記憶される。そして、前記送信制御手段によって、条件合致情報に関連付けられていない広告情報については、前記要求手段によって広告情報の送信が要求されても、送信しないように制御される。したがって、広告内容に問題がないことが確認された広告情報のみを表示するので、公序良俗に反するような広告の表示を防止することができる。
【００１９】
また本発明によれば、広告を表す広告情報を記憶する記憶手段、無線通信によって情報を送信する送信手段、および広告情報の送信を要求する要求手段を含む端末部と、情報を表示する表示手段、および無線通信によって広告情報を受信する受信手段を含む表示部とを含む情報表示装置に広告情報を表示するにあたって、送信制御ステップでは、要求手段によって広告情報の送信が要求されると、記憶手段に記憶される広告情報を読み出し、読み出した広告情報を送信手段によって送信するように制御する。そして、表示制御ステップでは、送信制御ステップで送信された広告情報を受信手段によって受信すると、受信手段によって受信された広告情報を表示手段によって表示するように制御する。
【００２０】
したがって、端末部の要求手段によって広告情報の送信が要求されたときに、つまり広告主から要求があったときに、広告情報を表示することができる。すなわち、広告主は、顧客の混雑度、天候、時間帯および在庫などの状況を判断して、タイムリーに広告を表示することができる。
【図面の簡単な説明】
【００２１】
【図１】本発明の一実施形態である広告システム１の構成を示すブロック図である。
【図２】広告料金を支払うときの処理手順を説明するための図である。
【図３】広告データの作成を依頼するときの処理手順を説明するための図である。
【図４】自作の広告データの承認を依頼するときの処理手順を説明するための図である。
【図５】広告を表示するときの処理手順を説明するための図である。
【図６】リモコン装置２０での接続処理の処理手順を示すフローチャートである。
【図７】広告管理サーバ１０での接続処理の処理手順を示すフローチャートである。
【図８】リモコン装置２０での入金処理の処理手順を示すフローチャートである。
【図９】広告管理サーバ１０での入金処理の処理手順を示すフローチャートである。
【図１０】広告管理サーバ１０での広告データの登録処理の処理手順を示すフローチャートである。
【図１１】リモコン装置２０での広告表示要求処理の処理手順を示すフローチャートである。
【図１２】広告表示ディスプレイ３０での広告表示処理の処理手順を示すフローチャートである。
【図１３】従来の技術による広告システム９の構成を示すブロック図である。
【発明を実施するための形態】
【００２２】
図１は、本発明の一実施形態である広告システム１の構成を示すブロック図である。情報表示装置である広告システム１は、広告を表す広告情報（以下「広告データ」という）を表示するシステムであり、広告管理サーバ１０、リモートコントロール（以下「リモコン」という）装置２０、広告表示ディスプレイ３０およびカード４０を含んで構成される。本発明に係る情報表示方法は、広告システム１で処理される。
【００２３】
判定部である広告管理サーバ１０は、リモコン装置２０と無線通信可能である。また、リモコン装置２０は、複数の広告表示ディスプレイ３０とそれぞれ無線通信可能である。図１には、広告表示ディスプレイ３０を３つしか示していないが、４つ以上であってもよいし、リモコン装置２０およびカード４０を１つしか示していないが、２つ以上であってもよい。広告管理サーバ１０およびリモコン装置２０は、いずれもカード４０を着脱可能である。
【００２４】
広告管理サーバ１０は、たとえば広告代理店などに設置され、支払われた広告料金に対する決済および残金額の決定、ならびに広告データの作成および認証を制御するサーバである。広告管理サーバ１０は、サーバ中央処理装置１１、課金管理部１２、広告データ作成部１３、キー入力部１４、サーバカード読取書込部（以下「Ｒ／Ｗ」という）１５、サーバデータ送受信装置１６および図示しない記憶部を含んで構成される。
【００２５】
サーバ中央処理装置１１は、プログラムを記憶し、記憶するプログラムを実行することによって、キー入力部１４、サーバカードＲ／Ｗ１５およびサーバデータ送受信装置１６を制御する。課金管理部１２、広告データ作成部１３および暗号化部１１１は、サーバ中央処理装置１１がプログラムを実行することによって実現される機能である。課金管理部１２は、入金管理部１２１、広告サイズ算出部１２２および権利回数算出部１２３を含んで構成される。
【００２６】
入金管理部１２１は、広告情報を広告表示ディスプレイ３０に表示するためにリモコン装置２０によって前払いされる広告料金を決済する。決済は、電子マネーによる決済であってもよいし、クレジットカードによる決済であってもよく、電子的に決済可能な方法であればよい。広告サイズ算出部１２２は、広告データを再生する継続時間を基に広告係数を算出する。広告係数は、たとえば再生時間を秒で表した数字である。広告データが音付きの場合は、たとえばその値を１．５倍した値が広告係数となる。
【００２７】
権利回数算出部１２３は、入金管理部１２１によって決済された広告料金に応じた権利回数を算出する。表示部利用可能度数である権利回数は、たとえば広告を広告表示ディスプレイ３０に表示することができる表示回数である。権利回数は、表示回数に限定されるものではなく、支払われた広告料金の残金額を権利回数として用いてもよい。以下、広告料金の残金額を権利回数とする場合について説明する。この場合、残金額が表示部利用可能度数である。広告管理サーバ１０が設置される広告代理店は、実際に広告が表示された回数に応じた料金を広告表示ディスプレイ３０の所有者に支払う。
【００２８】
広告データ作成部１３は、リモコン装置２０から広告データの作成の要求があると、リモコン装置２０からカード４０を介して提供される情報、たとえば広告の文字、映像および音声など広告の内容、広告時間、および広告の大きさなどの情報に基づいて、広告表示ディスプレイ３０に表示するための広告データおよび認証済みデータを作成する。そして、作成した広告データおよび認証済みデータを関連付けてとともにカード４０に記憶する。
【００２９】
条件合致情報である認証済みデータは、広告データが予め定める表示条件を満たすことを表すデータである。予め定める表示条件は、たとえば公序良俗に反しないという条件である。広告データ作成部１３は、カード４０にすでに広告データが記憶されているときは、カード４０に記憶されている広告データが予め定める表示条件を満たすか否かを判定し、予め定める表示条件を満たすときのみ、認証済みデータを作成し、作成した認証済みデータをその広告データに関連付けてカード４０に記憶する。
【００３０】
暗号化部１１１は、入金管理部１２１によって決済された広告料金の残金額を暗号化（以下「スクランブル」ともいう）する。暗号化部１１１は、送信される情報が第三者によって不正に使用されることを防止するために、送信する情報を暗号化する。サーバ中央処理装置１１は、残金額をリモコン装置２０に送信するとき、残金額を暗号化部１１１によって暗号化させ、暗号化された残金額を送信する。
【００３１】
キー入力部１４は、たとえばキーボードおよびマウスなどによって構成され、情報を入力する入力装置である。キー入力部１４は、入力された情報をサーバ中央処理装置１１に送る。サーバカードＲ／Ｗ１５は、カード４０を着脱可能であり、カード４０の着脱を検出し、検出した旨をサーバ中央処理装置１１に知らせる。サーバカードＲ／Ｗ１５は、サーバ中央処理装置１１から受け取る情報を装着されたカード４０に書き込み、装着されたカード４０に記憶される情報を読み出し、読み出した情報をサーバ中央処理装置１１に送る。
【００３２】
サーバデータ送受信装置１６は、無線通信によってリモコン装置２０のリモコンデータ送受信装置２７と情報の送受信を行う装置であり、サーバ中央処理装置１１から受け取る情報をリモコンデータ送受信装置２７に送信し、リモコンデータ送受信装置２７から受信する情報をサーバ中央処理装置１１に送る。
【００３３】
図示しない記憶部は、広告主のＩＤ（Identification）およびパスワードなどの情報を記憶する。広告主のＩＤは、たとえば各広告主に提供されるリモコン装置２０を識別するために各リモコン装置２０に割り当てられるリモコンＩＤである。広告主のパスワードは、広告主がリモコン装置２０から広告管理サーバ１０にアクセスするために各広告主に割り当てられる情報である。
【００３４】
リモコン装置２０は、各広告主に提供され、広告主が広告料金を支払うための操作、広告データの作成を依頼するための操作、および広告データの表示を要求するための操作を行う装置である。リモコン装置２０は、リモコン表示装置２１、操作ボタン２２、リモコン中央処理装置２３、リモコンカードＲ／Ｗ２４、暗号解読部２５、残金額記憶部２６、リモコンデータ送受信装置２７および図示しないリモコンＩＤ格納メモリを含んで構成される。リモコン表示装置２１は、たとえば液晶ディスプレイなどの表示装置によって構成され、リモコン中央処理装置２３から受け取る情報、たとえば広告料金を支払うための操作、広告データ作成を依頼するための操作、および広告データの表示を要求するための操作などに伴う情報を表示する。
【００３５】
要求手段である操作ボタン２２は、広告料金を支払うための操作、広告データの作成を依頼するための操作、および広告データの表示を要求するための操作などを行うための操作ボタンであり、たとえば数字、文字などを入力する入力ボタン、入力した情報を確定するための確定ボタン、広告表示を要求する要求ボタン、広告データの作成の依頼および広告料金の支払いなどのメニューを表示するための表示ボタンなどがある。操作ボタン２２は、どの操作ボタンが操作されたかをリモコン中央処理装置２３に知らせる。
【００３６】
送信制御手段であるリモコン中央処理装置２３は、プログラムを記憶し、記憶するプログラムを実行することによって、リモコン表示装置２１、リモコンカードＲ／Ｗ２４およびリモコンデータ送受信装置２７を制御する。リモコンカードＲ／Ｗ２４は、カード４０を着脱可能であり、カード４０の着脱を検出し、検出した旨をリモコン中央処理装置２３に知らせる。リモコンカードＲ／Ｗ２４は、リモコン中央処理装置２３から受け取る情報を装着されたカード４０に書き込み、装着されたカード４０に記憶される情報を読み出し、読み出した情報をリモコン中央処理装置２３に送る。
【００３７】
暗号解読部２５は、リモコン中央処理装置２３が記憶するプログラムを実行することによって実現される機能である。暗号解読部２５は、リモコン中央処理装置２３から受け取る残金額を暗号化して残金額記憶部２６に書き込み、また、リモコン中央処理装置２３からの指示によって残金額記憶部２６に記憶される残金額を読み出して復号化し、復号化した残金額をリモコン中央処理装置２３に送る。残金額記憶部２６は、たとえば半導体メモリなどによって構成され、暗号化した残金額を記憶する。残金額記憶部２６に記憶される情報は、暗号解読部２５によって書き込まれ、あるいは読み出される。リモコン中央処理装置２３は、残金額をリモコン装置２０に送信するときは、暗号解読部２５が残金額記憶部２６から読み出した暗号化された残金額を、暗号解読部２５によって復号化することなく送信する。
【００３８】
送信手段であるリモコンデータ送受信装置２７は、無線通信によって広告管理サーバ１０のサーバデータ送受信装置１６、および無線通信によって広告表示ディスプレイ３０のディスプレイデータ送受信装置３４と情報の送受信を行う装置であり、リモコン中央処理装置２３から受け取る情報をサーバデータ送受信装置１６またはディスプレイデータ送受信装置３４に送信し、サーバデータ送受信装置１６またはディスプレイデータ送受信装置３４から受信する情報をリモコン中央処理装置２３に送る。
【００３９】
図示しないリモコンＩＤ格納メモリは、各リモコン装置２０を識別するために各リモコン装置２０に割り当てられるリモコンＩＤのうち自己に割り当てられたリモコンＩＤを記憶しており、リモコン中央処理装置２３によって読み出し可能である。
【００４０】
表示部である広告表示ディスプレイ３０は、たとえば駅前、ビルの屋上、あるいは各広告主の店の前などに設置される。広告表示ディスプレイ３０は、自動販売機などと同様に、広告代理店あるいは広告主が設置場所の所有者に依頼して設置、あるいは設置場所の所有者自身によって設置され、撤去するか否かは設置者の判断による。広告効果の大きい場所に設置される広告表示ディスプレイ３０は、広告を希望する広告主が多くなるので、広告料金を高く設定することができる。
【００４１】
複数の広告表示ディスプレイ３０は、いずれも同じ構成である。広告表示ディスプレイ３０は、ディスプレイ表示装置３１およびパーソナルコンピュータ（以下「ＰＣ」という）３２を含んで構成される。ＰＣ３２は、ディスプレイ中央処理装置３３、ディスプレイデータ送受信装置３４および広告格納メモリ３５を含んで構成される。音を出力する必要がある場合は、スピーカなどの音出力部をＰＣ３２に含めてもよい。表示手段であるディスプレイ表示装置３１は、たとえば大型のディスプレイなどの表示装置によって構成され、ディスプレイ中央処理装置３３から受け取る広告データを表示する。
【００４２】
表示制御手段であるディスプレイ中央処理装置３３は、プログラムを記憶し、記憶するプログラムを実行することによって、ディスプレイ表示装置３１およびディスプレイデータ送受信装置３４を制御する。ディスプレイ中央処理装置３３は、各広告表示ディスプレイ３０に設定される表示係数を記憶する。表示係数は、たとえば画面サイズおよび設置条件に基づいて定められる係数である。設置条件は、設置される高さ、および設置される場所の人通りの状況などの条件である。表示係数は、広告効果の高い広告表示ディスプレイ３０ほど高い値が設定される。
【００４３】
受信手段であるディスプレイデータ送受信装置３４は、無線通信によってリモコン装置２０のリモコンデータ送受信装置２７と情報の送受信を行う装置であり、ディスプレイ中央処理装置３３から受け取る情報をリモコンデータ送受信装置２７に送信し、リモコンデータ送受信装置２７から受信する情報をディスプレイ中央処理装置３３に送る。
【００４４】
広告格納メモリ３５は、広告データを記憶するメモリであり、ディスプレイ中央処理装置３３によって書き込みおよび読み出しが可能である。ディスプレイ中央処理装置３３は、ディスプレイデータ送受信装置３４によってリモコン装置２０から受信した広告データを広告格納メモリ３５に書き込んで記憶し、記憶した広告データを広告格納メモリ３５から読み出してディスプレイ表示装置３１に送り、表示させる。
【００４５】
記憶手段であるカード４０は、不揮発性の読み書き可能なメモリ、たとえばフラッシュメモリによって構成され、広告管理サーバ１０のサーバカードＲ／Ｗ１５およびリモコン装置２０のリモコンカードＲ／Ｗ２４に着脱可能である。カード４０は、広告管理サーバ１０で認証された広告データをリモコン装置２０に受け渡すための記憶媒体である。カード４０は、メモリの一部の領域が広告データを記憶する領域である広告記憶部４３であり、広告記憶部４３を除く残余の領域に認証済みデータ４１および広告係数４２を記憶する。
【００４６】
認証済みデータ４１は、広告データ作成部１３によって作成され、サーバカードＲ／Ｗ１５によって、認証された広告データに関連付けてカード４０に書き込まれる。広告係数４２は、広告サイズ算出部１２２によって算出され、サーバカードＲ／Ｗ１５によって、その広告係数４２が算出された広告データに関連付けてカード４０に書き込まれる。
【００４７】
広告記憶部４３に記憶される広告データは、リモコン装置２０からの要求で広告データ作成部１３によって作成され、サーバカードＲ／Ｗ１５によって書き込まれたデータである。広告データの作成を広告管理サーバ１０に依頼するのではなく、カード４０の広告記憶部４３に記憶させた広告データを用いることも可能である。この場合、広告データ作成部１３は、カード４０の広告記憶部４３に記憶される広告データが予め定める表示条件を満たすことを確認すると、認証済みデータ４１を作成し、作成した認証済みデータ４１を確認した広告データに関連付けてカード４０に記憶する。リモコン装置２０およびカード４０は、端末部に相当する。
【００４８】
図２は、広告料金を支払うときの処理手順を説明するための図である。処理手順Ｓ１１では、広告主が、リモコン装置２０に対して、広告料金を支払うための操作を行うと、リモコン装置２０は、現在の残金額、たとえば１００，０００円を広告代理店などに設置される広告管理サーバ１０に送信する。処理手順Ｓ１２では、広告主は、リモコン装置２０によって、追加する広告料金、たとえば３００，０００円を電子マネーで支払う。処理手順Ｓ１３では、広告代理店などに設置される広告管理サーバ１０は、受信した現在の残金額、たとえば１００，０００円に、支払われた広告料金、たとえば３００，０００円を加算して新たな残金額を算出する。
【００４９】
処理手順Ｓ１４では、広告管理サーバ１０は、算出した新たな残金額、たとえば４００，０００円をリモコン装置２０に送信する。処理手順Ｓ１５では、リモコン装置２０は、受信した新たな残金額、たとえば４００，０００円を記憶する。広告代理店は、広告料金を前払いで受け取ることができるので、資金繰りが良くなる。また、広告主は、まとめて前払いするので、節約意識を持つことができる。広告代理店の広告管理サーバ１０は、広告料金を管理するだけで、表示する回数を管理する必要がない。
【００５０】
図３は、広告データの作成を依頼するときの処理手順を説明するための図である。処理手順Ｓ２１では、広告主が、リモコン装置２０に対して、広告データの作成を依頼するための操作を行うと、リモコン装置２０は、広告管理サーバ１０に対して、広告データの作成を依頼する。処理手順Ｓ２２では、広告主は、空のカード４０、つまり広告データなどの情報が記録されていないカード４０を、広告管理サーバ１０が設置される広告代理店に送付する。処理手順Ｓ２３では、広告管理サーバ１０は、広告データを作成し、作成した広告データ、および認証済みデータをカード４０に書き込む。処理手順Ｓ２４では、広告代理店は、作成した広告データ、および認証済みデータを記憶させたカード４０を広告主に送付する。
【００５１】
図４は、自作の広告データの承認を依頼するときの処理手順を説明するための図である。処理手順Ｓ３１では、広告主が、リモコン装置２０に対して、広告データの作成を依頼するための操作を行うと、リモコン装置２０は、広告管理サーバ１０に対して、広告データの作成を依頼する。処理手順Ｓ３２では、広告主は、広告主が自作した広告データを記録したカード４０を、広告管理サーバ１０が設置される広告代理店に送付する。処理手順Ｓ３３では、広告管理サーバ１０は、受け取ったカード４０に記憶される広告データが予め定める表示条件を満たすか否かを判定し、予め定める表示条件を満たすとき、認証済みデータを作成してカード４０に書き込む。処理手順Ｓ３４では、広告代理店は、認証済みデータを記憶させたカード４０を広告主に送付する。
【００５２】
図５は、広告を表示するときの処理手順を説明するための図である。処理手順Ｓ４１では、広告主は、広告が必要であると判断したとき、リモコン装置２０を携帯して、広告を表示させたい広告表示ディスプレイ３０が設置されている近傍、たとえばリモコン装置２０によって広告表示ディスプレイ３０と通信可能な範囲内まで行き、リモコン装置２０に対して、広告データの表示を要求するための操作を行う。
【００５３】
リモコン装置２０は、広告データの表示を要求するための操作が行なわれると、カード４０から広告データを読み出し、読み出した広告データを広告表示ディスプレイ３０に送信する。処理手順Ｓ４２では、リモコン装置２０は、リモコン表示装置２１に「広告データ送信完了」なるメッセージを表示する。処理手順Ｓ４３では、リモコン装置２０は、残金額から、広告データを送信した広告表示ディスプレイ３０に表示するために必要な必要広告料金を減算し、減算した値を新たな残金額とする。処理手順Ｓ４４では、広告表示ディスプレイ３０は、受信した広告データを表示する。
【００５４】
したがって、広告主は、広告が必要であるか否かを、たとえば食事の時間帯であるか否か、開店時間あるいは閉店時間が近づいたか否かなどの時間帯、顧客が混雑しているか空いているかなどの顧客の混雑度、天候、および商品あるいは材料の在庫などに応じて判断し、顧客を増やす必要があると判断したとき、タイムリーに広告を表示することができる。また、満席で入りきれない状況では、広告を行わないようにすることによって、顧客に悪い印象を与えることを防止することができる。
【００５５】
図６は、リモコン装置２０での接続処理の処理手順を示すフローチャートである。接続処理は、リモコン装置２０と広告管理サーバ１０とが接続された状態で行われる処理、たとえば広告料金の広告管理サーバ１０への支払い、あるいは広告データの作成の依頼などの処理を行う前に、リモコン装置２０と広告管理サーバ１０とを接続するために行われる処理である。リモコン装置２０は、電源が投入され、動作可能状態になると、ステップＡ１に移る。
【００５６】
ステップＡ１では、リモコン中央処理装置２３は、接続指示があったか否かを判定する。たとえば操作ボタン２２が操作され、リモコン装置２０と広告管理サーバ１０とが接続された状態で行われる処理が指示されたとき、接続指示があったと判定し、ステップＡ２に進む。操作ボタン２２が操作されないとき、または操作ボタン２２が操作されても、リモコン装置２０と広告管理サーバ１０とが接続された状態で行われる処理の指示ではないとき、接続指示がないと判定し、ステップＡ１０に進む。
【００５７】
ステップＡ２では、リモコン中央処理装置２３は、リモコンデータ送受信装置２７によってサーバデータ送受信装置１６と通信し、広告管理サーバ１０に接続を要求する。ステップＡ３では、リモコン中央処理装置２３は、接続が完了したか否かを判定する。接続が完了すると、ステップＡ４に進み、接続が完了しないと、ステップＡ２に戻る。ステップＡ４では、リモコン中央処理装置２３は、図示しないリモコンＩＤ格納メモリからリモコンＩＤ（以下「端末ＩＤ」ともいう）を読み出す。ステップＡ５では、リモコン中央処理装置２３は、図示しないリモコンＩＤ格納メモリから読み出した端末ＩＤを、リモコンデータ送受信装置２７によって広告管理サーバ１０に送信する。
【００５８】
ステップＡ６では、パスワードを入力する処理を行う。具体的には、たとえばリモコン中央処理装置２３は、パスワードを入力するための入力画面をリモコン表示装置２１に表示し、広告主が操作ボタン２２を操作して、リモコン表示装置２１に表示された入力画面でパスワードを入力する。
【００５９】
ステップＡ７では、リモコン中央処理装置２３は、入力されたパスワードをリモコンデータ送受信装置２７によって広告管理サーバ１０に送信する。ステップＡ８では、リモコン中央処理装置２３は、リモコンデータ送受信装置２７が広告管理サーバ１０から、一致回答を受信したか否かを判定する。端末ＩＤが一致しないことまたはパスワードが一致しないことを示すエラー回答を受信しないと、一致回答を受信したと判定し、ステップＡ９に進み、エラー回答を受信すると、一致回答を受信しないと判定し、ステップＡ１１に進む。
【００６０】
ステップＡ９では、リモコン中央処理装置２３は、リモコン装置２０と広告管理サーバ１０とが接続された状態で行われる各種処理、たとえば広告料金の広告管理サーバ１０への支払い、あるいは広告データの作成の依頼などの処理を行い、接続処理を終了する。リモコン装置２０は、広告料金の広告管理サーバ１０への支払い、あるいは広告データの作成の依頼などの処理では、広告料金の広告管理サーバ１０への支払い、あるいは広告データの作成の依頼のためのコマンドを広告管理サーバ１０に送信する。広告データの作成の依頼処理は、広告データの作成の依頼のためのコマンドを広告管理サーバ１０に送信するだけである。
【００６１】
ステップＡ１０では、リモコン中央処理装置２３は、接続処理以外の端末側、つまりリモコン装置２０側処理を行い、ステップＡ１に戻る。ステップＡ１１では、リモコン中央処理装置２３は、操作ボタン２２の操作によって、接続の終了が指示されたか否かを判定する。接続の終了が指示されると、ステップＡ１２に進み、接続の終了が指示されないと、ステップＡ４に戻る。ステップＡ１２では、リモコン中央処理装置２３は、リモコンデータ送受信装置２７によってサーバデータ送受信装置１６との通信を終了して、広告管理サーバ１０との接続を切断し、接続処理を終了する。
【００６２】
図７は、広告管理サーバ１０での接続処理の処理手順を示すフローチャートである。広告管理サーバ１０は、電源が投入され、動作可能状態になると、ステップＢ１に移る。ステップＢ１では、サーバ中央処理装置１１は、リモコン装置２０から接続要求があった否かを判定する。接続要求があると、ステップＢ２に進み、接続要求がないと、ステップＢ７に進む。ステップＢ２では、サーバ中央処理装置１１は、サーバデータ送受信装置１６によって、リモコンデータ送受信装置２７から送信された端末ＩＤを受信する。
【００６３】
ステップＢ３では、サーバ中央処理装置１１は、サーバデータ送受信装置１６によって受信した端末ＩＤに一致する端末ＩＤが、図示しない記憶部に記憶される端末ＩＤ、つまり広告主のＩＤの中にあるか否かを判定する。サーバデータ送受信装置１６によって受信した端末ＩＤに一致する端末ＩＤが、図示しない記憶部に記憶される端末ＩＤの中にあると、ステップＢ４に進み、サーバデータ送受信装置１６によって受信した端末ＩＤに一致する端末ＩＤが、図示しない記憶部に記憶される端末ＩＤの中にないと、ステップＢ８に進む。
【００６４】
ステップＢ４では、サーバ中央処理装置１１は、サーバデータ送受信装置１６によって、リモコンデータ送受信装置２７から送信されたパスワードを受信する。ステップＢ５では、サーバ中央処理装置１１は、サーバデータ送受信装置１６によって受信したパスワードに一致するパスワードが、図示しない記憶部に記憶されるパスワードの中にあるか否かを判定する。サーバデータ送受信装置１６によって受信したパスワードに一致するパスワードが、図示しない記憶部に記憶されるパスワードの中にあると、ステップＢ６に進み、サーバデータ送受信装置１６によって受信したパスワードに一致するパスワードが、図示しない記憶部に記憶されるパスワードの中にないと、ステップＢ８に進む。
【００６５】
ステップＢ６では、サーバ中央処理装置１１は、サーバデータ送受信装置１６によって、リモコンデータ送受信装置２７から送信されたコマンドを受信し、受信したコマンドを実行して、接続処理を終了する。コマンドは、たとえば広告料金の広告管理サーバ１０への支払い、あるいは広告データの作成の依頼のためのコマンドである。ステップＢ７では、サーバ中央処理装置１１は、接続処理以外のその他の処理を行い、ステップＢ１に戻る。ステップＢ８では、サーバ中央処理装置１１は、サーバデータ送受信装置１６によって、エラー回答をリモコン装置２０に送信する。
【００６６】
ステップＢ９では、サーバ中央処理装置１１は、回線が切断されたか否かを判定する。サーバデータ送受信装置１６がリモコンデータ送受信装置２７からの通信の切断を検出したとき、回線が切断されたと判定し、ステップＢ１０に進み、サーバデータ送受信装置１６がリモコンデータ送受信装置２７からの通信の切断を検出しないとき、回線が切断されていないと判定し、ステップＢ２に戻る。ステップＢ１０では、サーバ中央処理装置１１は、サーバデータ送受信装置１６による通信を終了して、リモコン装置２０との接続を切断し、接続処理を終了する。
【００６７】
図８は、リモコン装置２０での入金処理の処理手順を示すフローチャートである。入金処理は、リモコン装置２０によって広告料金を支払い、支払った広告料金を現在の残金額に加算した新たな残金額を取得する処理である。図６に示したステップＡ９での処理が、広告料金の広告管理サーバ１０への支払いの処理の場合に、ステップＣ１に進む。
【００６８】
ステップＣ１では、リモコン中央処理装置２３は、残金額記憶部２６に記憶される暗号化された残金額を暗号解読部２５によって復号化して読み出す。ステップＣ２では、リモコン中央処理装置２３は、読み出した残金額をリモコン表示装置２１に表示する。ステップＣ３では、リモコン中央処理装置２３は、ステップｃ１で読み出した残金額を現在の残金額として、リモコンデータ送受信装置２７によって広告管理サーバ１０に送信する。
【００６９】
ステップＣ４では、リモコン中央処理装置２３は、入金額を入力する処理を行う。具体的には、たとえばリモコン中央処理装置２３は、読み出した残金額をリモコン表示装置２１に表示するとともに、追加する広告料金の金額を入力するための入力画面をリモコン表示装置２１に表示し、広告主が操作ボタン２２を操作して、リモコン表示装置２１に表示された入力画面で追加する広告料金の金額を入力する。
【００７０】
ステップＣ５では、リモコン中央処理装置２３は、入力された金額が確認されたか否かを判定する。たとえば、操作ボタン２２の中の１つの操作ボタンとして、確認ボタンを設けておき、「入力された金額は正しいですか」とのメッセージをリモコン表示装置２１に表示した後、そのメッセージに応答して確認ボタンが操作されたとき、入力された金額が確認されたと判定し、ステップＣ６に進む。確認ボタンが所定の時間内に操作されないとき、入力された金額が確認されないと判定し、ステップＣ１０に進む。
【００７１】
ステップＣ６では、リモコン中央処理装置２３は、入金額、つまり追加する広告料金として入力された金額を、リモコンデータ送受信装置２７によって広告管理サーバ１０に送信する。ステップＣ７では、リモコン中央処理装置２３は、リモコンデータ送受信装置２７によって、広告管理サーバ１０から送信される新たな残金額を受信する。ステップＣ８では、リモコン中央処理装置２３は、リモコンデータ送受信装置２７によって受信した新たな残金額を、暗号解読部２５によって復号化してリモコン表示装置２１に表示する。ステップＣ９では、リモコン中央処理装置２３は、リモコンデータ送受信装置２７によって受信した新たな残金額を暗号化されたまま残金額記憶部２６に記憶する。
【００７２】
ステップＣ１０では、リモコン中央処理装置２３は、操作ボタン２２の操作によって、接続の終了が指示されたか否かを判定する。接続の終了が指示されると、ステップＣ１１に進み、接続の終了が指示されないと、ステップＣ１に戻る。ステップＣ１１では、リモコン中央処理装置２３は、リモコンデータ送受信装置２７によってサーバデータ送受信装置１６との通信を終了して、広告管理サーバ１０との接続を切断し、入力処理を終了する。
【００７３】
図９は、広告管理サーバ１０での入金処理の処理手順を示すフローチャートである。図７に示したステップＢ６で受信したコマンドが、広告料金の広告管理サーバ１０への支払いのためのコマンドの場合に、ステップＤ１に進む。
【００７４】
ステップＤ１では、課金管理部１２は、サーバデータ送受信装置１６によって、リモコンデータ送受信装置２７から送信される現在の残金額を受信する。ステップＤ２では、入金管理部１２１は、サーバデータ送受信装置１６によって、リモコンデータ送受信装置２７から送信される入金額を受信し、受信した入金額が追加する広告料金であるとして決済する。ステップＤ３では、課金管理部１２は、入金管理部１２１が入金額を受信したか否かを判定する。入金管理部１２１が入金額を受信していると、ステップＤ４に進み、入金管理部１２１が入金額を受信していないと、ステップＤ７に進む。
【００７５】
ステップＤ４では、課金管理部１２は、ステップＤ１で受信した現在の残金額に、ステップＤ２で入金管理部１２１によって決済された追加する広告料金を加算し、新たな残金額とする。ステップＤ５では、課金管理部１２は、新たな残金額を暗号化部１１１によってスクランブル、つまり暗号化する。ステップＤ６では、課金管理部１２は、暗号化された新たな残金額を、サーバデータ送受信装置１６によってリモコン装置２０に送信する。
【００７６】
ステップＤ７では、課金管理部１２は、回線が切断されたか否かを判定する。サーバデータ送受信装置１６がリモコンデータ送受信装置２７からの通信の切断を検出したとき、回線が切断されたと判定し、ステップＤ８に進み、サーバデータ送受信装置１６がリモコンデータ送受信装置２７からの通信の切断を検出しないとき、回線が切断されていないと判定し、ステップＤ１に戻る。ステップＤ８では、サーバ中央処理装置１１は、サーバデータ送受信装置１６による通信を終了して、リモコン装置２０との接続を切断し、入力処理を終了する。
【００７７】
図１０は、広告管理サーバ１０での広告データの登録処理の処理手順を示すフローチャートである。図７に示したステップＢ６で受信したコマンドが広告データの作成の依頼のためのコマンドであり、かつ、サーバカードＲ／Ｗ１５がカード４０の装着を検出し、カード４０が装着されたことをサーバ中央処理装置１１に知らせると、ステップＥ１に移る。
【００７８】
ステップＥ１では、広告データ作成部１３は、サーバカードＲ／Ｗ１５によってカード４０の広告記憶部４３に広告データが記憶されているか否かを判定する。広告記憶部４３に広告データが記憶されていると、ステップＥ７に進み、広告記憶部４３に広告データが記憶されていないと、ステップＥ２に進む。
【００７９】
ステップＥ２では、広告データ作成部１３は、広告データを作成する。広告データを作成するための元になる元情報は、リモコン装置２０によってカード４０に記憶され、広告データ作成部１３は、カード４０に記憶される元情報を読み出し、読み出した元情報に基づいて広告データを作成する。あるいは、サーバデータ送受信装置１６がリモコンデータ送受信装置２７から受信し、広告データ作成部１３は、サーバデータ送受信装置１６によって受信された元情報に基づいて広告データを作成する。
【００８０】
ステップＥ３では、広告データ作成部１３は、作成した広告データを、サーバカードＲ／Ｗ１５によってカード４０の広告記憶部４３に記憶する。ステップＥ４では、広告データ作成部１３は、ステップＥ２で作成した広告データ、またはステップＥ７で問題がないと判定した広告データに対する認証済みデータ４１を作成し、作成した認証済みデータ４１を、サーバカードＲ／Ｗ１５によって、ステップＥ３で記憶した広告データ、またはステップＥ７で問題がないと判定した広告データに関連付けてカード４０に記憶する。
【００８１】
ステップＥ５では、広告サイズ算出部１２２は、広告データの再生時間を元に広告係数４２を算出する。ステップＥ６では、広告サイズ算出部１２２は、算出した広告係数４２をサーバカードＲ／Ｗ１５によって、ステップＥ３で記憶した広告データ、またはステップＥ７で問題がないと判定した広告データに関連付けてカード４０に記憶し、広告データの登録処理を終了する。
【００８２】
ステップＥ７では、広告データ作成部１３は、カード４０の広告記憶部４３に記憶される広告データが示す広告内容に問題があるか否かを判定する。広告記憶部４３に記憶される広告データが予め定める表示条件を満たすとき、広告内容に問題がないと判定し、ステップＥ４に進み、広告記憶部４３に記憶される広告データが予め定める表示条件を満たさないとき、広告内容に問題があると判定し、広告データの登録処理を終了する。
【００８３】
図１１は、リモコン装置２０での広告表示要求処理の処理手順を示すフローチャートである。図６に示したステップＡ９での処理が、広告料金の広告管理サーバ１０への支払い、および広告データの作成の依頼のいずれの処理でもない場合に、ステップＦ１に進む。
【００８４】
ステップＦ１では、リモコン中央処理装置２３は、広告要求があるか否かを判定する。広告表示を要求する要求ボタンが操作されると、広告要求があると判定し、ステップＦ２に進み、広告表示を要求する要求ボタンが操作されないと、広告要求がないと判定し、ステップＦ１に戻る。ステップＦ２では、リモコン中央処理装置２３は、ディスプレイに接続する。すなわち、リモコンデータ送受信装置２７によってディスプレイデータ送受信装置３４と通信し、広告表示ディスプレイ３０と接続する。
【００８５】
ステップＦ３では、リモコン中央処理装置２３は、リモコンデータ送受信装置２７によって、広告表示ディスプレイ３０から広告表示ディスプレイ３０の状態を受信する。ステップＦ４では、リモコン中央処理装置２３は、リモコンデータ送受信装置２７によって受信した広告表示ディスプレイ３０の状態が空きの状態であるか否かを判定する。広告表示ディスプレイ３０の状態が広告データを表示している状態であるとき、広告表示ディスプレイ３０の状態が空きの状態でないと判定し、ステップＦ１８に進む。広告表示ディスプレイ３０の状態が広告データを表示している状態でないとき、広告表示ディスプレイ３０の状態が空きの状態であると判定し、ステップＦ５に進む。
【００８６】
ステップＦ５では、リモコン中央処理装置２３は、リモコンデータ送受信装置２７によって広告表示ディスプレイ３０から表示係数を受信する。ステップＦ６では、リモコン中央処理装置２３は、リモコンカードＲ／Ｗ２４によって、カード４０の広告記憶部４３に記憶される広告データを読み出して取得する。ステップＦ７では、リモコン中央処理装置２３は、読み出した広告データを選択する処理を行う。具体的には、リモコン中央処理装置２３は、読み出した広告データの一覧をリモコン表示装置２１に表示し、広告主が操作ボタン２２を操作して、リモコン表示装置２１に表示された広告データの一覧の中から表示したい広告データを選択する。
【００８７】
ステップＦ８では、リモコン中央処理装置２３は、選択された広告データが承認済み広告であるか否かを判定する。リモコン中央処理装置２３は、カード４０からリモコンカードＲ／Ｗ２４によって認証済みデータ４１を読み出し、読み出した認証済みデータ４１の中に選択された広告データに関連付けられた認証済みデータ４１があると、選択された広告データが承認済み広告であると判定し、ステップＦ９に進む。また、読み出した認証済みデータ４１の中に選択された広告データに関連付けられた認証済みデータ４１がないと、選択された広告データが承認済み広告でないと判定し、ステップＦ１９に進む。
【００８８】
ステップＦ９では、リモコン中央処理装置２３は、リモコンカードＲ／Ｗ２４によってカード４０から広告係数４２を読み出し、読み出した広告係数４２およびステップＦ５でリモコンデータ送受信装置２７によって受信した表示係数に基づいて、選択された広告データを、接続した広告表示ディスプレイ３０に表示するために必要な必要広告料金を算出する。表示必要度数である必要広告料金は、たとえば算出式「時間当たりの基本広告料金×広告係数×表示係数＋広告代理店の手数料」によって算出される。時間当たりの基本広告料金は、たとえばすべての広告表示ディスプレイ３０について共通の１秒当たりの基本広告料金である。広告代理店の手数料は、広告代理店ごとに設定される。
【００８９】
ステップＦ１０では、リモコン中央処理装置２３は、残金額記憶部２６に記憶される暗号化された残金額を復号化した残金額を暗号解読部２５から受け取り、必要広告料金が暗号解読部２５から受け取った残金額以下であるか否かを判定する。必要広告料金が暗号解読部２５から受け取った残金額以下であると、ステップＦ１１に進み、必要広告料金が暗号解読部２５から受け取った残金額以下でないと、ステップＦ２０に進む。ステップＦ１１では、リモコン中央処理装置２３は、選択された広告データを、リモコンデータ送受信装置２７によって広告表示ディスプレイ３０に送信する。
【００９０】
ステップＦ１２では、リモコン中央処理装置２３は、受信成功の応答があったか否かを判定する。リモコンデータ送受信装置２７がディスプレイデータ送受信装置３４から受信成功を示す情報を受信すると、受信成功の応答があったと判定し、ステップＦ１３に進む。リモコンデータ送受信装置２７がディスプレイデータ送受信装置３４から受信失敗を示す情報を受信すると、受信成功の応答がなかったと判定し、ステップＦ１１に戻る。ステップＦ１３では、リモコン中央処理装置２３は、暗号解読部２５から受け取った残金額から、ステップＦ９で算出した必要広告料金を減算し、新たな残金額とする。
【００９１】
ステップＦ１４では、リモコン中央処理装置２３は、暗号解読部２５によって新たな残金額をスクランブル、つまり暗号化する。ステップＦ１５では、リモコン中央処理装置２３は、暗号解読部２５によって、暗号化した残金額を残金額記憶部２６に書き込み、残金額記憶部２６に記憶される残金額を更新する。ステップＦ１６では、リモコン中央処理装置２３は、新たな残金額をリモコン表示装置２１に表示する。ステップＦ１７では、リモコン中央処理装置２３は、リモコンデータ送受信装置２７によってディスプレイデータ送受信装置３４との通信を終了して、広告表示ディスプレイ３０との接続を切断し、広告表示要求処理を終了する。
【００９２】
ステップＦ１８では、リモコン中央処理装置２３は、接続した広告表示ディスプレイ３０がすでに使用されている旨のメッセージ、たとえば「ディスプレイ使用中」をリモコン表示装置２１に表示し、広告表示要求処理を終了する。ステップＦ１９では、リモコン中央処理装置２３は、選択された広告データが承認済みでない旨のメッセージをリモコン表示装置２１に表示し、広告表示要求処理を終了する。ステップＦ２０では、リモコン中央処理装置２３は、残金額が不足している旨のメッセージをリモコン表示装置２１に表示し、広告表示要求処理を終了する。図１１に示したステップＦ１〜ステップＦ２０は、送信制御ステップである。
【００９３】
図１２は、広告表示ディスプレイ３０での広告表示処理の処理手順を示すフローチャートである。広告表示ディスプレイ３０は、電源が投入され、動作可能状態になると、ステップＧ１に移る。
【００９４】
ステップＧ１では、ディスプレイ中央処理装置３３は、広告要求があるか否かを判定する。ディスプレイデータ送受信装置３４がリモコンデータ送受信装置２７から広告表示の要求を受信すると、広告要求があると判定し、ステップＧ２に進む。ディスプレイデータ送受信装置３４がリモコンデータ送受信装置２７から広告表示の要求を受信しないと、広告要求がないと判定し、ステップＧ１に戻る。ステップＧ２では、ディスプレイ中央処理装置３３は、ディスプレイデータ送受信装置３４によってリモコンデータ送受信装置２７と通信し、リモコン装置２０と接続する。図１２では、リモコン装置２０のことを「端末」と記述する。
【００９５】
ステップＧ３では、ディスプレイ中央処理装置３３は、ディスプレイ表示装置３１が使用中であるか否かを判定する。ディスプレイ表示装置３１に広告データを表示しているとき、ディスプレイ表示装置３１が使用中であると判定し、ステップＧ１２に進む。ディスプレイ表示装置３１に広告データを表示していないとき、ディスプレイ表示装置３１が使用中でないと判定し、ステップＧ４に進む。
【００９６】
ステップＧ４では、ディスプレイ中央処理装置３３は、ディスプレイ表示装置３１が未使用であること、具体的には、広告データを表示している状態でないことを示す情報を、ディスプレイデータ送受信装置３４によってリモコン装置２０に送信する。ステップＧ５では、ディスプレイ中央処理装置３３は、ディスプレイ中央処理装置３３に記憶される表示係数を読み出し、読み出した表示係数をディスプレイデータ送受信装置３４によってリモコン装置２０に送信する。ステップＧ６では、ディスプレイ中央処理装置３３は、ディスプレイデータ送受信装置３４によってリモコンデータ送受信装置２７から広告データを受信する。
【００９７】
ステップＧ７では、ディスプレイ中央処理装置３３は、受信が成功したか否かを判定する。ディスプレイデータ送受信装置３４が通信エラーを検出していないとき、受信が成功したと判定し、ステップＧ８に進み、ディスプレイデータ送受信装置３４が通信エラーを検出しているとき、受信が成功しなかったと判定し、ステップＧ１３に進む。ステップＧ８では、ディスプレイ中央処理装置３３は、ステップＧ６で受信した広告データを広告格納メモリ３５に記憶する。ステップＧ９では、ディスプレイ中央処理装置３３は、広告データの受信成功を示す情報をディスプレイデータ送受信装置３４によってリモコン装置２０に送信する。
【００９８】
ステップＧ１０では、ディスプレイ中央処理装置３３は、ディスプレイデータ送受信装置３４によってリモコンデータ送受信装置２７との通信を終了して、リモコン装置２０との接続を切断する。ステップＧ１１では、ディスプレイ中央処理装置３３は、広告格納メモリ３５に記憶した広告データを読み出し、読み出した広告データをディスプレイ表示装置３１に表示して、広告表示処理を終了する。
【００９９】
ステップＧ１２では、ディスプレイ中央処理装置３３は、ディスプレイ表示装置３１が使用中であること、具体的には、広告データを表示している状態であることを示す情報を、ディスプレイデータ送受信装置３４によってリモコン装置２０に送信し、ステップＧ１０に進む。ステップＧ１３では、ディスプレイ中央処理装置３３は、広告データの受信失敗を示す情報をディスプレイデータ送受信装置３４によってリモコン装置２０に送信し、ステップＧ１０に進む。図１２に示したステップＧ１〜ステップＧ１３は、表示制御ステップである。
【０１００】
上述した実施形態では、リモコン装置２０から広告管理サーバ１０に、残金額および広告料金の金額を送信するとき、暗号化を行っていないが、第三者による不正使用を防止するために、暗号化して送信し、広告管理サーバ１０で復号することも可能である。
【０１０１】
このように、リモコン装置２０およびカード４０は、カード４０、リモコンデータ送受信装置２７、操作ボタン２２およびリモコン中央処理装置２３を含む。カード４０によって、広告を表す広告データが記憶される。リモコンデータ送受信装置２７によって、無線通信によって情報が送信される。操作ボタン２２によって、広告データの送信が要求される。そして、リモコン中央処理装置２３によって、操作ボタン２２によって広告データの送信が要求されると、カード４０に記憶される広告データが読み出され、読み出された広告データがリモコンデータ送受信装置２７によって送信されるように制御される。また、広告表示ディスプレイ３０は、ディスプレイ表示装置３１、ディスプレイデータ送受信装置３４およびディスプレイ中央処理装置３３を含む。ディスプレイ表示装置３１によって、情報が表示される。ディスプレイデータ送受信装置３４によって、無線通信によって広告データが受信される。そして、ディスプレイ中央処理装置３３によって、リモコンデータ送受信装置２７によって送信された広告データをディスプレイデータ送受信装置３４が受信すると、ディスプレイデータ送受信装置３４によって受信された広告データをディスプレイ表示装置３１によって表示するように制御される。
【０１０２】
したがって、リモコン装置２０の操作ボタン２２によって広告データの送信が要求されたときに、つまり広告主から要求があったときに、広告データを表示することができる。すなわち、広告主は、顧客の混雑度、天候、時間帯および在庫などの状況を判断して、タイムリーに広告を表示することができる。
【０１０３】
さらに、カード４０によって、広告データをディスプレイ表示装置３１に表示する残金額が記憶される。リモコン中央処理装置２３によって、カード４０に記憶される残金額が、カード４０に記憶される広告データをディスプレイ表示装置３１に表示するために必要な必要広告料金以上であるとき、カード４０に記憶される広告データをリモコンデータ送受信装置２７によって送信するように制御されるとともに、広告データを送信するごとにカード４０に記憶される残金額から必要広告料金が減算される。また、リモコン中央処理装置２３によって、カード４０に記憶される残金額が必要広告料金未満であるとき、広告データを送信しないように制御される。したがって、広告主は、すでに支払わった広告料金に応じて決められる残金額が、広告データを広告表示ディスプレイ３０に表示するために必要な必要広告料金以上である限り、広告データをいつでも表示することができる。また、残金額が必要広告料金未満になったときは、広告の表示を禁止することができる。
【０１０４】
さらに、必要広告料金は、広告データが表示される継続時間に基づいて算出される広告係数、および広告表示ディスプレイ３０ごとの表示効果の度合いを表す表示係数に基づいて算出されるので、短い広告時間あるいは広告効果の低い広告表示ディスプレイ３０のとき、高額な料金を支払う必要がなく、広告主は、広告の必要度および予算に応じた広告を行うことができる。
【０１０５】
さらに、広告管理サーバ１０によって、ディスプレイ表示装置３１に表示させようとする広告データが予め定める表示条件を満たすか否かが判定される。カード４０によって、広告管理サーバ１０によって判定された広告データに関連付けて、その広告データが予め定める表示条件を満たすことを表す認証済みデータが記憶される。そして、リモコン中央処理装置２３によって、認証済みデータに関連付けられていない広告データについては、操作ボタン２２によって広告データの送信が要求されても、送信しないように制御される。したがって、広告内容に問題がないことが確認された広告データのみを表示するので、公序良俗に反するような広告の表示を防止することができる。
【０１０６】
さらに、広告を表す広告データを記憶するカード４０、無線通信によって情報を送信するリモコンデータ送受信装置２７、および広告データの送信を要求する操作ボタン２２を含むリモコン装置２０およびカード４０と、情報を表示するディスプレイ表示装置３１、および無線通信によって広告データを受信するディスプレイデータ送受信装置３４を含む広告表示ディスプレイ３０とを含む広告システム１に広告データを表示するにあたって、図１１に示したステップＦ１〜ステップＦ２０では、操作ボタン２２によって広告データの送信が要求されると、カード４０に記憶される広告データを読み出し、読み出した広告データをリモコンデータ送受信装置２７によって送信するように制御する。そして、図１２に示したステップＧ１〜ステップＧ１３では、図１１に示したステップＦ１〜ステップＦ２０で送信された広告データをディスプレイデータ送受信装置３４によって受信すると、ディスプレイデータ送受信装置３４によって受信された広告データをディスプレイ表示装置３１によって表示するように制御する。
【０１０７】
したがって、リモコン装置２０の操作ボタン２２によって広告データの送信が要求されたときに、つまり広告主から要求があったときに、広告データを表示することができる。すなわち、広告主は、顧客の混雑度、天候、時間帯および在庫などの状況を判断して、タイムリーに広告を表示することができる。
【符号の説明】
【０１０８】
１，９  広告システム
１０  広告管理サーバ
１１  サーバ中央処理装置
１２  課金管理部
１３  広告データ作成部
１４  キー入力部
１５  サーバカードＲ／Ｗ
１６  サーバデータ送受信装置
２０  リモコン装置
２１  リモコン表示装置
２２  操作ボタン
２３  リモコン中央処理装置
２４  リモコンカードＲ／Ｗ
２５  暗号解読部
２６  残金額記憶部
２７  リモコンデータ送受信装置
３０  広告表示ディスプレイ
３１  ディスプレイ表示装置
３２  ＰＣ
３３  ディスプレイ中央処理装置
３４  ディスプレイデータ送受信装置
３５  広告格納メモリ
３７  ディスプレイ通信装置
４０  カード
４１  認証済みデータ
４２  広告係数
４３  広告記憶部
９１  インフォメーションディスプレイ
９２  サーバ
１１１  暗号化部
【図１】
2010286678.tif 000003
【図２】
2010286678.tif 000004
【図３】
2010286678.tif 000005
【図４】
2010286678.tif 000006
【図５】
2010286678.tif 000007
【図６】
2010286678.tif 000008
【図７】
2010286678.tif 000009
【図８】
2010286678.tif 000010
【図９】
2010286678.tif 000011
【図１０】
2010286678.tif 000012
【図１１】
2010286678.tif 000013
【図１２】
2010286678.tif 000014
【図１３】
2010286678.tif 000015